(57)【要約】      （修正有）【課題】デザイン性と、携帯性と利便性を持ち合わせたストラップ型ケーブルを提供する。【解決手段】パソコンへ接続できるＵＳＢ端子と携帯電話、又は小型音楽視聴機との外部接続端子の両端を持つデータ通信や充電が可能な接続ケーブルにおいてケーブル自体を繊維や皮革で帯状に縫製し、手に通す位の適宜サイズの長さにした。【選択図】図２
0003155732.tif 000002
【実用新案登録請求の範囲】
【請求項１】
パソコンと携帯電話や小型音楽視聴機とのデータ通信や転送、充電が可能なストラップ型ケーブル。
パソコンと携帯電話や小型音楽視聴機とのデータ通信や転送、充電が可能なケーブルをストラップ型に一体成型し、携帯電話機や小型音楽視聴機の外部接続端子に直接接続することで、持ち運びに便利なストラップとなり、パソコンへのデータ通信、転送、充電の際には一体成型のケース部よりパソコンへのＵＳＢ端子を取り外し、それをパソコンへ接続することで、データ通信、転送、充電が可能となるストラップ型データ通信、転送、充電ケーブル。
【考案の詳細な説明】
【技術分野】
【０００１】  本考案はストラップ、特に携帯電話機や小型音楽視聴機などの携帯用電子機器に関する。
【背景技術】
【０００２】  近年の携帯電話の進化に伴い、携帯電話に様々な情報を保存する事が可能になってきている。その保存した情報は携帯電話を紛失すると、大切な情報まで紛失してしまう事になり、その保管場所として携帯電話内の情報をパソコンなどに保存する事が、近年盛んに行われている。
また、アイポッドと呼ばれる小型の音楽視聴機などもパソコンから音楽等の情報を直接取り込む事ができる、また充電も可能であるが、その方法が専用の長いケーブルをパソコンと接続するなどしかなく、携帯性が非常に不便であるし、ファッション性はなかった。
【考案の開示】
【考案が解決しようとする課題】
【０００３】  近年の携帯電話の進化に伴い携帯電話に様々な機能が盛り込まれ、写真や音楽、個人情報や、友人、知人のアドレスなど様々な情報が保存されている。その保存された情報をパソコンに移したり、逆にパソコンから音楽を携帯電話に移すなどの情報のやり取りができるようになってきている。その際に必ずデータケーブルと言われるパソコンと携帯電話の情報のやりとりができるケーブルが市販されている。またそのケーブルで充電も可能であるが、ケーブルが長く、またデザイン性などは皆無に等しく、持ち運びなどの携帯性は残念ながら無い。本考案はそのデザイン性や使用時の簡便さや携帯性を考えるものである。
【課題を解決するための手段】
【０００４】  本考案は、上述の課題を解決する為に、携帯電話機などの電子機器とパソコンとの情報のやりとりをする充電機能付きデータケーブルにおいて、直接取り付ける手が入るほどの適宜サイズのストラップ状にして、携帯電話や小型音楽視聴機に直接取り付けることにより、問題点を解決できる。
【考案実施の形態】
【０００５】  携帯電話や小型音楽視聴機で使用するデータケーブルの両端の接続部を合体が可能な成型を施しその間のケーブルを手が入るほどの適宜な長さにし、そのケーブル自体を繊維などで覆いストラップとする。その合体した成型部は直接携帯電話や小型音楽視聴機の外部接続端子に直接接続できるように、それぞれの外部接続端子に合わせたコネクター端子とする。更にパソコンと接続させる側はＵＳＢ規格の端子とする。ストラップにすることで、携帯電話や小型音楽視聴機などと常に持ち運びすることが出来る。使用する際は合体した接続部からＵＳＢ規格の端子が外れるようし、これをパソコンのＵＳＢ接続部へ挿すことで、充電やデータのやり取りが出来る。ストラップ部は様々な模様や色々な繊維やビニール素材などで加工すれば自由なデザインが可能となり、外観上もデザイン性が感じられる商品となる。
【実施例】
【０００６】以下、添付図面に従って一実施例を説明する。１は携帯電話や小型音楽視聴機に合わせたコネクター端子。２はＵＳＢ端子を合体させ保護する為の成型されたケース。３はＵＳＢ規格の端子。
４は手が入るほどの敵宣な長さで繊維などでケーブルを覆ったストラップ部である。
図面の図５では成型されたケース部２は本考案における実施例としてフタ状にしている。
データケーブルとして使用する際はこのようにＵＳＢ端子部を本体ケースより取り外し、使用する。【０００７】  本考案の一実施例は上述の如き構成からなるものであるから、携帯電話機や小型音楽視聴機の外部接続端子に本考案ストラップを接続する事で常時ストラップとして持ち運びする事が出来、またデータ転送、充電などが可能なケーブルを常に持ち運ぶ事ができる。【０００８】  以上、詳細の本考案によるストラップ型データケーブルの実施の形態を説明したがここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  上述の様に、本考案のストラップ型データケーブルは携帯電話に直接取り付けてストラップとして携帯電話機を持ち運ぶ事は勿論、携帯電話とパソコンのデータ通信や充電器としても使用することが出来て、携帯性や利便性に大変優れている、
【図面の簡単な説明】
【００１０】
【図１】本考案の正面図である。
【図２】本考案の斜視図である。
【図３】本考案の側面図である。
【図４】本考案の背面図である。
【図５】本考案の展開図である。
【符号の説明】
【００１１】１  外部接続端子用接続コネクター
２  ＵＳＢ端子を一体にすることが可能な成型されたケース
３  ＵＳＢ端子を持つコネクター
４  ストラップ部
【図１】
0003155732.tif 000003
【図２】
0003155732.tif 000004
【図３】
0003155732.tif 000005
【図４】
0003155732.tif 000006
【図５】
0003155732.tif 000007
【手続補正書】
【提出日】平成21年7月3日(2009.7.3)
【手続補正１】
【補正対象書類名】明細書
【補正対象項目名】０００２
【補正方法】変更
【補正の内容】
【０００２】  近年の携帯電話の進化に伴い、携帯電話に様々な情報を保存する事が可能になってきている。その保存した情報は携帯電話を紛失すると、大切な情報まで紛失してしまう事になり、その保管場所として携帯電話内の情報をパソコンなどに保存する事が、近年盛んに行われている。
また、手のひらサイズ等の小型の音楽視聴機などもパソコンから音楽等の情報を直接取り込む事ができる、また充電も可能であるが、その方法が専用の長いケーブルをパソコンと接続するなどしかなく、携帯性が非常に不便であるし、ファッション性はなかった。
【手続補正２】
【補正対象書類名】実用新案登録請求の範囲
【補正対象項目名】全文
【補正方法】変更
【補正の内容】
【実用新案登録請求の範囲】
【請求項１】
パソコンのＵＳＢポートと携帯電話や小型音楽視聴機とのデータ通信、転送や充電が可能なケーブルをストラップ状に皮革等で成型しＵＳＢ端子と、使用する各メーカーや機種に応じたデータ通信や充電が可能な外部接続端子を持つ、ストラップ一体型データ通信、転送、充電ケーブル。
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
パソコンへ接続できるＵＳＢ端子と携帯電話、又は小型音楽視聴機との外部接続端子の両端を持つデータ通信や充電が可能な接続ケーブルにおいてケーブル自体を繊維や皮革で帯状に縫製し、手に通す位の適宜サイズの長さにしたストラップ一体型ケーブル。